(57)【要約】      （修正有）【課題】医療用モニターに入力されたイメージをディスプレイに出力するために、水平／垂直に拡大／縮小する場合、前記拡大／縮小によるイメージの歪みを最小化できる医療用モニターのイメージ処理方法及び装置を提供する。【解決手段】医療用モニターのイメージ処理方法は、前記モニターに入力されるイメージがＨＤ（Ｈｉｇｈ  Ｄｅｆｉｎｉｔｉｏｎ）の場合は、設定モードによって前記イメージを横及び縦に第１スケーリングする段階；前記イメージがＨＤ又はＳＤ（Ｓｔａｎｄａｒｄ  Ｄｅｆｉｎｉｔｉｏｎ）の場合は、前記モニターのパネルサイズと前記イメージのサイズを利用して、前記イメージが前記パネルの中央にディスプレイされるように前記イメージのポジションを決定する段階；及び前記モニターの内部メモリからプリセット情報をローディングして前記イメージに適用する段階を含む。【選択図】図２
2012232012.tif 000002
【特許請求の範囲】
【請求項１】
医療用モニターのイメージ処理方法において、
前記モニターに入力されるイメージがＨＤ（Ｈｉｇｈ  Ｄｅｆｉｎｉｔｉｏｎ）の場合は、設定モードによって前記イメージを横及び縦に第１スケーリングすること；
前記イメージがＨＤ又はＳＤ（Ｓｔａｎｄａｒｄ  Ｄｅｆｉｎｉｔｉｏｎ）の場合は、前記モニターのパネルサイズと前記イメージのサイズを利用して、前記イメージが前記パネルの中央にディスプレイされるように前記イメージのポジションを決定すること；及び
前記モニターの内部メモリからプリセット情報をローディングして前記イメージに適用することを含み、
前記イメージのポジションは、前記イメージの左側上端画素の位置であることを特徴とする医療用モニターのイメージ処理方法。
【請求項２】
前記第１スケーリングは、
前記設定モードが「Ｈ−Ｆｉｌｌ」モードの場合は、前記イメージを横及び縦に０．８３〜１．２５倍スケールダウン又はスケールアップすること
を含むことを特徴とする請求項１に記載の医療用モニターのイメージ処理方法。
【請求項３】
前記第１スケーリングは、
前記設定モードが「Ｖ−Ｆｉｌｌ」モードの場合は、前記イメージを横及び縦に１．１１〜１．１９倍スケールアップすること
を含むことを特徴とする請求項１に記載の医療用モニターのイメージ処理方法。
【請求項４】
前記設定モードが「Ｏｎｅ  ｔｏ  Ｏｎｅ」モードの場合は、前記イメージの横及び縦に対してスケーリングを行うこと
を更に含むことを特徴とする請求項１に記載の医療用モニターのイメージ処理方法。
【請求項５】
前記イメージがＨＤ又はＳＤではない場合は、前記イメージのアスペクト比（ａｓｐｅｃｔ  ｒａｔｉｏ）と前記パネルのアスペクト比を比較すること；及び
前記比較の結果、前記イメージのアスペクト比が前記パネルのアスペクト比より小さかったり同じ場合は、前記パネルサイズと前記イメージのサイズを利用して、前記イメージのポジションを決定すること
を更に含むことを特徴とする請求項１に記載の医療用モニターのイメージ処理方法。
【請求項６】
前記イメージのポジションの決定は、
前記パネルサイズと前記イメージサイズ間の差値を２で割った値に前記ポジションを決定すること
を含むことを特徴とする請求項１又は５に記載の医療用モニターのイメージ処理方法。
【請求項７】
前記比較の結果、前記イメージのアスペクト比が前記パネルのアスペクト比よりも大きい場合は、前記イメージの横及び縦ポジションを「０」に決定すること
を更に含むことを特徴とする請求項５に記載の医療用モニターのイメージ処理方法。
【請求項８】
前記モニターに入力されるイメージがＨＤ（Ｈｉｇｈ  Ｄｅｆｉｎｉｔｉｏｎ）ではない場合は、前記設定モードによって前記イメージを横及び縦に第２スケーリングすること
を更に含むことを特徴とする請求項１に記載の医療用モニターのイメージ処理方法。
【請求項９】
前記第２スケーリングは、
前記設定モードが「Ｈ−Ｆｉｌｌ」モードの場合は、前記イメージを横に２．０８〜２．２７倍スケールアップすること；及び
前記イメージを縦に２．２〜２．５倍スケールアップすること
を含むことを特徴とする請求項８に記載の医療用モニターのイメージ処理方法。
【請求項１０】
前記第２スケーリングは、
前記設定モードが「Ｖ−Ｆｉｌｌ」モードの場合は、前記イメージを横に２．０８〜２．５倍スケールアップすること；及び
前記イメージを縦に２．０８〜２．８倍スケールアップすること
を含むことを特徴とする請求項８に記載の医療用モニターのイメージ処理方法。
【請求項１１】
前記第２スケーリングは、
前記設定モードが「Ｏｎｅ  ｔｏ  Ｏｎｅ」モードの場合は、前記イメージを横に０．９〜１．０倍スケールダウンすること
を含むことを特徴とする請求項８に記載の医療用モニターのイメージ処理方法。
【請求項１２】
医療用モニターのイメージ処理装置において、
前記モニターに入力されるイメージがＨＤ（Ｈｉｇｈ  Ｄｅｆｉｎｉｔｉｏｎ）の場合は、設定モードによって前記イメージを横及び縦に第１スケーリングするスケーリング部；
前記イメージがＨＤ又はＳＤ（Ｓｔａｎｄａｒｄ  Ｄｅｆｉｎｉｔｉｏｎ）の場合は、前記モニターのパネルサイズと前記イメージのサイズを利用して、前記イメージが前記パネルの中央にディスプレイされるように前記イメージのポジションを決定するポジション決定部；及び
前記モニターの内部メモリからプリセット情報をローディングして前記イメージに適用するプリセット適用部を含み、
前記イメージのポジションは、前記イメージの左側上端画素の位置であることを特徴とする医療用モニターのイメージ処理装置。
【請求項１３】
前記スケーリング部は、
前記設定モードが「Ｈ−Ｆｉｌｌ」モードの場合は、前記イメージを横及び縦に０．８３〜１．２５倍スケールダウン又はスケールアップすることを特徴とする請求項１２に記載の医療用モニターのイメージ処理装置。
【請求項１４】
前記スケーリング部は、
前記設定モードが「Ｖ−Ｆｉｌｌ」モードの場合は、前記イメージを横及び縦に１．１１〜１．１９倍スケールアップすることを特徴とする請求項１２に記載の医療用モニターのイメージ処理装置。
【請求項１５】
前記ポジション決定部は、
前記イメージがＨＤ又はＳＤではない場合は、前記イメージのアスペクト比（ａｓｐｅｃｔ  ｒａｔｉｏ）と前記パネルのアスペクト比を比較し、前記比較の結果、前記イメージのアスペクト比が前記パネルのアスペクト比より小さかったり同じ場合は、前記パネルサイズと前記イメージのサイズを利用して、前記イメージのポジションを決定することを特徴とする請求項１２に記載の医療用モニターのイメージ処理装置。
【請求項１６】
前記ポジション決定部は、
前記パネルサイズと前記イメージサイズ間の差値を２で割った値に前記ポジションを決定することを特徴とする請求項１２又は１５に記載の医療用モニターのイメージ処理装置。
【請求項１７】
前記スケーリング部は、
前記モニターに入力されるイメージがＨＤ（Ｈｉｇｈ  Ｄｅｆｉｎｉｔｉｏｎ）ではなく、前記設定モードが「Ｈ−Ｆｉｌｌ」モードの場合は、前記イメージを横に２．０８〜２．２７倍スケールアップし、前記イメージを縦に２．２〜２．５倍スケールアップすることを特徴とする請求項１２に記載の医療用モニターのイメージ処理装置。
【請求項１８】
前記スケーリング部は、
前記モニターに入力されるイメージがＨＤ（Ｈｉｇｈ  Ｄｅｆｉｎｉｔｉｏｎ）ではなく、前記設定モードが「Ｖ−Ｆｉｌｌ」モードの場合は、前記イメージを横に２．０８〜２．５倍スケールアップし、前記イメージを縦に２．０８〜２．８倍スケールアップすることを特徴とする請求項１２に記載の医療用モニターのイメージ処理装置。
【請求項１９】
前記スケーリング部は、
前記モニターに入力されるイメージがＨＤ（Ｈｉｇｈ  Ｄｅｆｉｎｉｔｉｏｎ）ではなく、前記設定モードが「Ｏｎｅ  ｔｏ  Ｏｎｅ」モードの場合は、前記イメージを横に０．９〜１．０倍スケールダウンすることを特徴とする請求項１２に記載の医療用モニターのイメージ処理装置。
【発明の詳細な説明】
【技術分野】
【０００１】
本発明の実施例は、医療用モニターに関するものであり、より詳しくは、医療用モニターでイメージを処理する方法及び装置に関するものである。
【背景技術】
【０００２】
コンピュータ及び映像技術の急速な発展に伴い、医療装備にも様々なアプリケーションが出ている。例えば、診断用内視鏡（ｄｉａｇｎｏｓｔｉｃ  ｅｎｄｏｓｃｏｐｙ）、手術用内視鏡（ｓｕｒｇｉｃａｌ  ｅｎｄｏｓｃｏｐｙ）、ロボット手術システム（Ｒｏｂｏｔ  ｓｕｒｇｉｃａｌ  ｓｙｓｔｅｍ）、医療用電子顕微鏡（ｍｅｄｉｃａｌ  ｅｌｅｃｔｒｏｎ  ｍｉｃｒｏｓｃｏｐｅ）、コンピュータ断層撮影（ｃｏｍｐｕｔｅｒ  ｔｏｍｏｇｒａｐｈｙ，ＣＴ）、磁気共鳴映像法（ｍａｇｎｅｔｉｃ  ｒｅｓｏｎａｎｃｅ  ｉｍａｇｉｎｇ，ＭＲＩ）等が医療装備として有用に提供されている。
【０００３】
さらに、前記のような医療装備により撮影された映像は、医療用モニターに伝達されて画面を通じて出力できる。よって、医師が患者を手術する場合は、随時前記医療用モニターの画面に出力される映像を見ながら手術できるようになった。
【０００４】
しかし、従来の医療用モニターは、医療装備から出力される映像を画面に最適化させて出力するために、入力イメージを水平または垂直に拡大、縮小する場合は、イメージの歪みが発生して手術時に正確なイメージを提供できないだけでなく、手術部位を画面の中央に出力できなく手術を精密に行い難いという問題点があった。
【発明の概要】
【発明が解決しようとする課題】
【０００５】
本発明の一実施例は、医療用モニターに入力されたイメージをディスプレイに出力するために、水平／垂直に拡大／縮小する場合、前記拡大／縮小によるイメージの歪みを最小化できる医療用モニターのイメージ処理方法及び装置を提供する。
【０００６】
本発明の一実施例は、入力イメージの設定モードによるスケーリングを通じて、イメージを医療用モニターの画面中央に出力することにより、手術する部位のイメージが歪まないと共に、画面中央に出力されるようにし、これにより医師がモニターの出力画面を見ながらより精密に手術を行えるようにする医療用モニターのイメージ処理方法及び装置を提供する。
【０００７】
本発明が解決しようとする課題は、以上で言及した課題に制限されなく、言及されていない別の課題（等）は、以下の記載から当業者が明確に理解できると考えられる。
【課題を解決するための手段】
【０００８】
本発明の一実施例にかかる医療用モニターのイメージ処理方法は、前記モニターに入力されるイメージがＨＤ（Ｈｉｇｈ  Ｄｅｆｉｎｉｔｉｏｎ）の場合は、設定モードによって前記イメージを横及び縦に第１スケーリングすること；前記イメージがＨＤ又はＳＤ（Ｓｔａｎｄａｒｄ  Ｄｅｆｉｎｉｔｉｏｎ）の場合は、前記モニターのパネルサイズと前記イメージのサイズを利用して、前記イメージが前記パネルの中央にディスプレイされるように前記イメージのポジションを決定すること；及び前記モニターの内部メモリからプリセット情報をローディングして前記イメージに適用することを含む。
【０００９】
本発明の一実施例にかかる医療用モニターのイメージ処理装置は、前記モニターに入力されるイメージがＨＤ（Ｈｉｇｈ  Ｄｅｆｉｎｉｔｉｏｎ）の場合は、設定モードによって前記イメージを横及び縦に第１スケーリングするスケーリング部；前記イメージがＨＤ又はＳＤ（Ｓｔａｎｄａｒｄ  Ｄｅｆｉｎｉｔｉｏｎ）の場合は、前記モニターのパネルサイズと前記イメージのサイズを利用して、前記イメージが前記パネルの中央にディスプレイされるように前記イメージのポジションを決定するポジション決定部；及び前記モニターの内部メモリからプリセット情報をローディングして前記イメージに適用するプリセット適用部を含む。
【００１０】
その他の実施例の具体的な事項は、詳細な説明及び添付の図面に含まれている。
【００１１】
本発明の利点及び／又は特徴、そしてそれらを達成する方法は、添付の図面と共に詳しく後述する実施例を参照すると明確になる。しかし、本発明は以下で開示する実施例に限定されるのではなく、相違する様々な形態に具現でき、単に本実施例は本発明の開示が完全なものとなるようにし、本発明が属する技術分野で通常の知識を有する者に発明のカテゴリーを完全に教示するために提供するものであり、本発明は請求項のカテゴリーによって定義されるだけである。明細書全体に亘って同一参照符号は同一構成要素を指す。
【発明の効果】
【００１２】
本発明の一実施例によると、医療用モニターに入力されるイメージをディスプレイに出力するために水平／垂直に拡大／縮小する場合、前記の拡大／縮小によるイメージの歪みを最小化できる。
【００１３】
本発明の一実施例によると、入力イメージの設定モードにかかるスケーリングにより、イメージを医療用モニターの画面中央に出力することで手術する部位のイメージが歪まないと共に、画面中央に出力できるようにし、これにより医師がモニターの出力画面を見ながらより精密に手術できるようにする。
【図面の簡単な説明】
【００１４】
【図１】本発明の一実施例にかかる医療用モニターのイメージ処理方法を説明するためのフローチャートである。
【図２】本発明の一実施例にかかる医療用モニターのイメージ処理方法を説明するためのフローチャートである。
【図３】本発明の一実施例にかかる医療用モニターのイメージ処理方法を説明するためのフローチャートである。
【図４】本発明の一実施例にかかる医療用モニターのイメージ処理装置を説明するためのブロック図である。
【発明を実施するための形態】
【００１５】
以下では、添付の図面を参照して本発明の実施例を詳しく説明する。
【００１６】
本発明の実施例の説明に先立ち、本明細書で持続的に使用する用語である「Ｏｎｅ  ｔｏ  Ｏｎｅ」モード、「Ｈ−Ｆｉｌｌ」モード、及び「Ｖ−Ｆｉｌｌ」モードについて記述する。
【００１７】
前記「Ｏｎｅ  ｔｏ  Ｏｎｅ」モードとは、イメージスケーリング（ｉｍａｇｅ  ｓｃａｌｉｎｇ）を行わないか、或いはイメージが０．９倍程度スケールダウン（ｓｃａｌｅ  ｄｏｗｎ）するようにスケーリングファクター（ｓｃａｌｉｎｇ  ｆａｃｔｏｒ）を調節し、ポジション（ｐｏｓｉｔｉｏｎ）を決定するモードである。
【００１８】
前記「Ｈ−Ｆｉｌｌ」モードとは、Ｈｏｒｉｚｏｎｔａｌ−Ｆｉｌｌモードの略語であり、イメージの歪みがないと共にパネルの横方向にイメージを合わせるようにスケーリングファクターを調節し、ポジショニング（ｐｏｓｉｔｉｏｎｉｎｇ）するモードである。
【００１９】
前記「Ｖ−Ｆｉｌｌ」モードとは、Ｖｅｒｔｉｃａｌ−Ｆｉｌｌのモードの略語であり、イメージの歪みがないと共にパネルの縦方向にイメージを合わせるようにスケーリングファクターを調節し、ポジショニングをするモードである。
【００２０】
図１〜図３は、本発明の一実施例にかかる医療用モニターのイメージ処理方法を説明するために図示したフローチャートである。ここで、前記のイメージ処理方法は、図４のイメージ処理装置４００によって行われ得る。
【００２１】
先ず、図１を参照すると、段階において使用者（ｕｓｅｒ）は、医療用モニターのＯＳＤ（Ｏｎ  Ｓｃｒｅｅｎ  Ｄｉｓｐｌａｙ）のメニューからスマートセレクト（ｓｍａｒｔ  ｓｅｌｅｃｔ）項目を選択する。
【００２２】
すると、段階１２０において前記イメージ処理装置は、現ソース情報を保存（ｓａｖｅ）する。即ち、前記イメージ処理装置は、前記モニターに入力されるイメージと関連するビデオ信号を提供する医療装備と、前記モニター間のインターフェースに関するソース情報を、前記モニターに搭載されたメモリに保存する。
【００２３】
ここで、前記ソース情報は、ＤＶＩ、ＨＤＭＩ、ＨＤ１５、ＳＤ／ＨＤ-ＳＤＩ  １、ＳＤ／ＨＤ-ＳＤＩ  ２、Ｃｏｍｐｏｎｅｎｔ  Ｙ／Ｇ、Ｐｂ／Ｂ、Ｐｒ／Ｒ、Ｈ／ＣＳ、ＶＳ、Ｓ−Ｖｉｄｅｏ、Ｃ−Ｖｉｄｅｏ等を含み得る。
【００２４】
次に、段階１３０において前記イメージ処理装置は、前記の入力されたイメージをフリーズ（ｆｒｅｅｚｅ）する。即ち、前記イメージ処理装置は、イメージ再生画面を一時停止させて停止イメージをキャプチャー（ｃａｐｔｕｒｅ）する。
【００２５】
次に、段階１４０において前記イメージ処理装置は、前記の入力されたイメージのサイズを決定する。即ち、前記イメージ処理装置は、前記のキャプチャーされた停止イメージを利用して、前記の入力されたイメージの横及び縦のサイズを決定する。
【００２６】
次に、段階１５０において前記イメージ処理装置は、前記モニターパネルのアクティブイメージ（ａｃｔｉｖｅ  ｉｍａｇｅ）比率を決定する。ここで、前記アクティブイメージ比率は、前記モニターのパネルに前記イメージが実際に表示される領域の比率、即ち、前記パネルの画面比率を表す。
【００２７】
次に、段階１６０において前記イメージ処理装置は、ディスプレイ（ｄｉｓｐｌａｙ）イメージの比率を決定する。即ち、前記イメージ処理装置は、前記パネルにディスプレイされるイメージの比率を決定する。
【００２８】
次に、段階１７０において前記イメージ処理装置は、前記イメージの入力信号がＨＤ（Ｈｉｇｈ  Ｄｅｆｉｎｉｔｉｏｎ）なのかを判断する。このために、前記イメージ処理装置は、前記イメージのピクセル数による解像度に基づいて前記入力信号がＨＤか否かを判断できる。
【００２９】
前記判断の結果、前記入力信号がＨＤの場合（１７０の「はい」方向）、前記イメージ処理装置は図２の過程を行う。
【００３０】
即ち、図２を参照すると、段階２１０において前記イメージ処理装置は、前記イメージを設定モードに従い横にスケーリングする。つまり、前記イメージ処理装置は、前記設定モードが「Ｏｎｅ  ｔｏ  Ｏｎｅ」モード、「Ｈ−Ｆｉｌｌ」モード、「Ｖ−Ｆｉｌｌ」モード中のどのモードかによって前記イメージを横（水平）にスケーリングできる（第１スケーリング）。
【００３１】
例えば、前記イメージ処理装置は、前記設定モードが「Ｈ−Ｆｉｌｌ」モードの場合は、前記イメージを横に０．８３〜１．２５倍スケールダウン（ｓｃａｌｅ  ｄｏｗｎ）又はスケールアップ（ｓｃａｌｅ  ｕｐ）でき、前記設定モードが「Ｖ−Ｆｉｌｌ」モードの場合は、前記イメージを横に１．１１〜１．１９倍スケールアップできる。一方、前記イメージ処理装置は、前記設定モードが「Ｏｎｅ  ｔｏ  Ｏｎｅ」モードの場合は、前記イメージに対してスケーリングを行わないことも可能である（ｎｏ  ｓｃａｌｅ）。
【００３２】
次に、段階２２０において前記イメージ処理装置は、前記イメージを前記設定モードに従い縦にスケーリングする。即ち、前記イメージ処理装置は、前記設定モードが「Ｏｎｅ  ｔｏ  Ｏｎｅ」モード、「Ｈ−Ｆｉｌｌ」モード、「Ｖ−Ｆｉｌｌ」モード中のどのモードかによって前記イメージを縦（垂直）にスケーリングできる（第１スケーリング）。
【００３３】
例えば、前記イメージ処理装置は、前記設定モードが「Ｈ−Ｆｉｌｌ」モードの場合は、前記イメージを縦に０．８３〜１．２５倍スケールダウン又はスケールアップでき、前記設定モードが「Ｖ−Ｆｉｌｌ」モードの場合は、前記イメージを縦に１．１１〜１．１９倍スケールアップできる。一方、前記イメージ処理装置は、前記設定モードが「Ｏｎｅ  ｔｏ  Ｏｎｅ」モードの場合は、前記イメージに対してスケーリングを行わないことも可能である（ｎｏ  ｓｃａｌｅ）。
【００３４】
次に、段階２３０において前記イメージ処理装置は、前記の入力信号がＨＤかＳＤかを判断する。
【００３５】
例えば、前記イメージ処理装置は１０８０ｉの入力信号をＨＤで判断し、４８０ｉの入力信号をＳＤで判断し、その他１２８０×９６０、１２８０×１０２４、１２８０×４８０等の入力信号をＨＤでもＳＤでもない解像度として判断できる。参考までに、前記１０８０ｉにおいて１０８０は、縦（垂直）解像度の１０８０行を指し、ｉはインターレース走査（ｉｎｔｅｒｌａｃｅｄ）を指す。また、前記４８０ｉにおいて４８０は、縦解像度の４８０行を指し、ｉはインターレース走査を指す。
【００３６】
前記判断の結果、前記入力信号（イメージ）がＨＤかＳＤの場合（２３０の「はい」の方向）、段階２４０において前記イメージ処理装置は、前記パネルサイズと前記イメージのサイズを利用して、前記イメージが前記パネルの中央（画面中央）にディスプレイされるように前記イメージのポジションを決定する。ここで、前記イメージのポジションは、前記イメージの左側上端画素の位置であることが望ましい。
【００３７】
例えば、前記イメージ処理装置は、前記入力信号がＨＤかＳＤの場合、前記パネルサイズと前記イメージサイズ間の差値を２で割った値｛（パネルサイズ−入力イメージサイズ）／２｝に前記イメージの横と縦のポジションを決定できる。
【００３８】
一方、前記判断の結果、前記入力信号（イメージ）がＨＤでもなくＳＤでもない場合（２３０の「いいえ」の方向）、段階２５０において前記イメージ処理装置は、前記イメージのアスペクト比（ａｓｐｅｃｔ  ｒａｔｉｏ）と前記パネルのアスペクト比を比較する。つまり、前記イメージ処理装置は、前記イメージの横／縦の比率を前記パネルの横／縦の比率と比較する。
【００３９】
前記比較の結果、前記イメージのアスペクト比が前記パネルのアスペクト比より大きい場合（２５０の「はい」の方向）、段階２６０において前記イメージ処理装置は、前記イメージの横及び縦のポジションを「０」に決定する。
【００４０】
一方、前記比較の結果、前記イメージのアスペクト比が前記パネルのアスペクト比より小さかったり同じ場合（２５０の「いいえ」の方向）、段階２７０において前記イメージ処理装置は、前記パネルサイズと前記イメージのサイズを利用して、前記イメージのポジションを決定する。
【００４１】
例えば、前記イメージ処理装置は、前記イメージのアスペクト比が前記パネルのアスペクト比より小さかったり同じ場合、前記パネルサイズと前記イメージサイズ間の差値を２で割った値｛（パネルサイズ−入力イメージサイズ）／２｝に前記イメージの横と縦のポジションを決定できる。
【００４２】
次に、前記イメージ処理装置は、前記モニターの内部メモリからプリセット（ｐｒｅｓｅｔ）情報をローディングして前記イメージに適用させる。ここで、前記プリセット情報は、前記モニターの内部メモリに予め設定された値に保存でき、Ｒ（Ｒｅｄ）／Ｇ（Ｇｒｅｅｎ）／Ｂ（Ｂｌｕｅ）ゲイン（ｇａｉｎ）、明るさ（ｂｒｉｇｈｔｎｅｓｓ）、コントラスト（ｃｏｎｔｒａｓｔ）、ガンマ（ｇａｍｍａ）等のプリセットカラー値（ｐｒｅｓｅｔ  ｃｏｌｏｒ  ｖａｌｕｅ）と、鮮明度（ｓｈａｒｐｎｅｓｓ）、オーバーシュート（ｏｖｅｒｓｈｏｏｔ）、ディテール（ｄｅｔａｉｌ）等のエンハンスメント値（ｅｎｈａｎｃｅｍｅｎｔ  ｖａｌｕｅ）を含み得る。
【００４３】
即ち、段階２８０において前記イメージ処理装置は、Ｒ／Ｇ／Ｂゲイン、明るさ、コントラスト、ガンマ等のプリセットカラー値を前記イメージに適用できる。
【００４４】
次いで、段階２９０において前記イメージ処理装置は、鮮明度、オーバーシュート、ディテール等のエンハンスメント値を前記イメージに適用できる。
【００４５】
以降、前記イメージ処理装置は、前記プリセット情報が適用されたイメージを、前記の決定されたポジションで前記モニターの画面に出力できる。これにより前記イメージ処理装置は、前記イメージを前記モニターの画面中央に表示できるようになる。
【００４６】
一方、前記段階１７０で判断した結果、前記入力信号がＨＤではない場合（１７０の「いいえ」の方向）、前記イメージ処理装置は図３の過程を行う。
【００４７】
即ち、図３を参照すると、段階３１０で前記イメージ処理装置は、前記イメージを設定モードに従い横にスケーリングする。つまり、前記イメージ処理装置は、前記設定モードが「Ｏｎｅ  ｔｏ  Ｏｎｅ」モード、「Ｈ−Ｆｉｌｌ」モード、「Ｖ−Ｆｉｌｌ」モード中のどのモードかによって前記イメージを横（水平）にスケーリングできる（第２スケーリング）。
【００４８】
例えば、前記イメージ処理装置は、前記設定モードが「Ｈ−Ｆｉｌｌ」モードの場合は前記イメージを横に２．０８〜２．２７倍スケールアップでき、前記設定モードが「Ｖ−Ｆｉｌｌ」モードの場合は前記イメージを横に２．０８〜２．５倍スケールアップできる。反対に、前記イメージ処理装置は、前記設定モードが「Ｏｎｅ  ｔｏ  Ｏｎｅ」モードの場合は前記イメージを横に０．９〜１．０倍スケールダウンできる。
【００４９】
次に、段階３２０で前記イメージ処理装置は、前記イメージを前記設定モードに従い縦にスケーリングする。即ち、前記イメージ処理装置は、前記設定モードが「Ｏｎｅ  ｔｏ  Ｏｎｅ」モード、「Ｈ−Ｆｉｌｌ」モード、「Ｖ−Ｆｉｌｌ」モード中のどのモードかによって前記イメージを縦（垂直）にスケーリングできる（第２スケーリング）。
【００５０】
例えば、前記イメージ処理装置は、前記設定モードが「Ｈ−Ｆｉｌｌ」モードの場合は前記イメージを縦に２．２〜２．５倍スケールアップでき、前記設定モードが「Ｖ−Ｆｉｌｌ」モードの場合は前記イメージを縦に２．０８〜２．８倍スケールアップできる。一方、前記イメージ処理装置は、前記設定モードが「Ｏｎｅ  ｔｏ  Ｏｎｅ」モードの場合は、前記イメージに対してスケーリングを行わないことも可能である（ｎｏ  ｓｃａｌｅ）。
【００５１】
次に、段階３３０において前記イメージ処理装置は、前記入力信号がＨＤかＳＤかを判断する。
【００５２】
例えば、前記イメージ処理装置は１０８０ｉの入力信号をＨＤで判断し、４８０ｉの入力信号をＳＤで判断し、その他１２８０×９６０、１２８０×１０２４、１２８０×４８０等の入力信号をＨＤでもＳＤでもない解像度として判断できる。
【００５３】
前記判断の結果、前記入力信号（イメージ）がＨＤかＳＤの場合（３３０の「はい」方向）、段階３４０において前記イメージ処理装置は、前記パネルサイズと前記イメージのサイズを利用して、前記イメージが前記パネルの中央（画面中央）にディスプレイされるように前記イメージのポジションを決定する。
【００５４】
例えば、前記イメージ処理装置は、前記入力信号がＨＤかＳＤの場合、前記パネルサイズと前記イメージサイズ間の差値を２で割った値｛（パネルサイズ−入力イメージサイズ）／２｝に前記イメージの横と縦のポジションを決定できる。
【００５５】
一方、前記判断の結果、前記入力信号（イメージ）が、ＨＤでもなくＳＤでもない場合（３３０の「いいえ」の方向）、段階３５０において前記イメージ処理装置は、前記イメージのアスペクト比と前記パネルのアスペクト比を比較する。即ち、前記イメージ処理装置は、前記イメージの横／縦比率を前記パネルの横／縦比率と比較する。
【００５６】
前記比較の結果、前記イメージのアスペクト比が前記パネルのアスペクト比より大きい場合（３５０の「はい」の方向）、段階３６０において前記イメージ処理装置は、前記イメージの横及び縦のポジションを「０」に決定する。
【００５７】
一方、前記比較の結果、前記イメージのアスペクト比が前記パネルのアスペクト比より小さかったり同じ場合（３５０の「いいえ」の方向）、段階３７０において前記イメージ処理装置は、前記パネルサイズと前記イメージのサイズを利用して、前記イメージのポジションを決定する。
【００５８】
例えば、前記イメージ処理装置は、前記イメージのアスペクト比が前記パネルのアスペクト比より小さかったり同じ場合、前記パネルサイズと前記イメージサイズ間の差値を２で割った値｛（パネルサイズ−入力イメージサイズ）／２｝に前記イメージの横と縦のポジションを決定できる。
【００５９】
次に、前記イメージ処理装置は、前記モニターの内部メモリからプリセット（ｐｒｅｓｅｔ）情報をローディングして前記イメージに適用させる。ここで、前記プリセット情報は、前記モニターの内部メモリに予め設定された値に保存でき、Ｒ（Ｒｅｄ）／Ｇ（Ｇｒｅｅｎ）／Ｂ（Ｂｌｕｅ）ゲイン（ｇａｉｎ）、明るさ（ｂｒｉｇｈｔｎｅｓｓ）、コントラスト（ｃｏｎｔｒａｓｔ）、ガンマ（ｇａｍｍａ）等のプリセットカラー値（ｐｒｅｓｅｔ  ｃｏｌｏｒ  ｖａｌｕｅ）と、鮮明度（ｓｈａｒｐｎｅｓｓ）、オーバーシュート（ｏｖｅｒｓｈｏｏｔ）、ディテール（ｄｅｔａｉｌ）等のエンハンスメント値（ｅｎｈａｎｃｅｍｅｎｔ  ｖａｌｕｅ）を含み得る。
【００６０】
即ち、段階３８０において前記イメージ処理装置は、Ｒ／Ｇ／Ｂゲイン、明るさ、コントラスト、ガンマ等のプリセットカラー値を前記イメージに適用できる。
【００６１】
次いで、段階３９０において前記イメージ処理装置は、鮮明度、オーバーシュート、ディテール等のエンハンスメント値を前記イメージに適用できる。
【００６２】
以降、前記イメージ処理装置は、前記プリセット情報が適用されたイメージを、前記の決定されたポジションで前記モニターの画面に出力できる。これにより前記イメージ処理装置は、前記イメージを前記モニターの画面中央に表示できるようになる。
【００６３】
図４は、本発明の一実施例にかかる医療用モニターのイメージ処理装置を説明するために図示したブロック図である。
【００６４】
図４を参照すると、本発明の一実施例にかかる医療用モニターのイメージ処理装置４００は、スケーリング部４１０、ポジション決定部４２０、プリセット適用部４３０、及び制御部４４０を含み得る。
【００６５】
前記スケーリング部４１０は、前記モニターに入力されるイメージがＨＤの場合、設定モードによって前記イメージを横及び縦に第１スケーリングする。
【００６６】
例えば、前記スケーリング部４１０は、前記設定モードが「Ｈ−Ｆｉｌｌ」モードの場合は、前記イメージを横及び縦に０．８３〜１．２５倍スケールダウン又はスケールアップでき、前記設定モードが「Ｖ−Ｆｉｌｌ」モードの場合は、前記イメージを横及び縦に１．１１〜１．１９倍スケールアップできる。一方、前記スケーリング部４１０は、前記設定モードが「Ｏｎｅ  ｔｏ  Ｏｎｅ」モードの場合は、前記イメージを横及び縦にスケーリングしないことも可能である（ｎｏ  ｓｃａｌｅ）。
【００６７】
一方、前記スケーリング部４１０は、前記モニターに入力されるイメージがＨＤではない場合、前記イメージを設定モードによって横及び縦に第２スケーリングする。
【００６８】
例えば、前記スケーリング部４１０は、前記設定モードが「Ｈ−Ｆｉｌｌ」モードの場合は、前記イメージを横に２．０８〜２．２７倍スケールアップし、前記イメージを縦に２．２〜２．５倍スケールアップできる。
【００６９】
他の例として、前記スケーリング部４１０は、前記設定モードが「Ｖ−Ｆｉｌｌ」モードの場合、前記イメージを横に２．０８〜２．５倍スケールアップし、前記イメージを縦に２．０８〜２．８倍スケールアップできる。
【００７０】
他の例を挙げると、前記スケーリング部４１０は、前記設定モードが「Ｏｎｅ  ｔｏ  Ｏｎｅ」モードの場合は、前記イメージを横だけに０．９〜１．０倍スケールダウンし、前記イメージを縦にはスケーリングしないことも可能である。
【００７１】
前記ポジション決定部４２０は、前記第１又は第２スケーリングされたイメージがＨＤかＳＤの場合、前記モニターのパネルサイズと前記イメージのサイズを利用して、前記イメージが前記パネルの中央にディスプレイされるように前記イメージのポジションを決定する。
【００７２】
例えば、前記ポジション決定部４２０は、前記イメージがＨＤかＳＤの場合、前記パネル横／縦サイズと前記イメージ横／縦サイズ間の差値を２で割った値｛（パネルサイズ−入力イメージサイズ）／２｝に前記イメージの横と縦のポジションを決定できる。
【００７３】
詳述すると、前記ポジション決定部４２０は、前記イメージがＨＤかＳＤの場合、前記パネルの横サイズと前記イメージの横サイズ間の差値を２で割った値に前記イメージの横ポジションを決定し、前記パネルの縦サイズと前記イメージの縦サイズ間の差値を２で割った値に前記イメージの縦ポジションを決定できる。
【００７４】
一方、前記ポジション決定部４２０は、前記イメージがＨＤでもなく、ＳＤでもない場合、前記イメージのアスペクト比と前記パネルのアスペクト比を比較する。即ち、前記ポジション決定部４２０は前記イメージの横／縦比率を前記パネルの横／縦比率と比較する。
【００７５】
前記ポジション決定部４２０は、前記比較の結果、前記イメージのアスペクト比が前記パネルのアスペクト比より大きい場合、前記イメージの横及び縦ポジションを「０」に決定する。
【００７６】
前記ポジション決定部４２０は、前記比較の結果、前記イメージのアスペクト比が前記パネルのアスペクト比より小さかったり同じ場合、前記パネルサイズと前記イメージのサイズを利用して、前記イメージのポジションを決定する。
【００７７】
例えば、前記ポジション決定部４２０は、前記イメージのアスペクト比が前記パネルのアスペクト比より小さかったり同じ場合、前記パネルサイズと前記イメージサイズ間の差値を２で割った値｛（パネルサイズ−入力イメージサイズ）／２｝に前記イメージの横と縦のポジションを決定できる。
【００７８】
前記プリセット適用部４３０は、前記モニターの内部メモリからプリセット情報をローディングして前記イメージに適用する。即ち、前記プリセット適用部４３０は、Ｒ／Ｇ／Ｂゲイン、明るさ、コントラスト、ガンマ等のプリセットカラー値と、鮮明度、オーバーシュート、ディテール等のエンハンスメント値を前記イメージに適用できる。
【００７９】
これにより、前記イメージ処理装置４００は、前記プリセット情報が適用されたイメージを前記の決定されたポジションで前記モニターの画面に出力できる。これにより、前記イメージ処理装置４００は、前記イメージを前記モニターの画面中央に表示できるようになる。
【００８０】
前記制御部４４０は、本発明の一実施例にかかる医療用モニターのイメージ処理装置４００、即ち、スケーリング部４１０、ポジション決定部４２０、プリセット適用部４３０等の動作を全般的に制御できる。
【００８１】
このように、本発明の一実施例にかかる医療用モニターのイメージ処理方法及び装置は、医療用モニターに入力されるイメージをディスプレイに出力するために水平（横）／垂直（縦）に拡大／縮小する場合は、前記の拡大／縮小によるイメージの歪みを最小化でき、
【００８２】
また、本発明の一実施例にかかる医療用モニターのイメージ処理方法及び装置は、入力イメージの設定モードにかかるスケーリングにより、イメージを医療用モニターの画面中央に出力できる。
【００８３】
よって、本発明の一実施例によると、手術する部位のイメージが歪まないと共に、画面中央に出力できるようにし、これにより医師がモニターの出力画面を見ながらより精密に手術を行うことができるようにする。
【００８４】
本発明の実施例は、多様なコンピュータの構成要素を通じて行うことができるプログラム命令語の形態に具現されるため、コンピュータ判読可能記録媒体に記録できる。前記コンピュータ判読可能媒体は、プログラム命令、ローカルデータファイル、ローカルデータ構造等を単独で又は組み合わせて含むことができる。前記媒体は、本発明のために特別に設計されて構成されたものか、或いはコンピュータソフトウェア当業者に公知の使用可能なものでもあり得る。コンピュータ判読可能記録媒体の例には、ハードディスク、フロッピーディスク及び磁気テープのような磁気媒体、ＣＤ−ＲＯＭ、ＤＶＤのような光記録媒体、フロプティカルディスクのような磁気−光媒体、及びロム、ラム、フラッシュメモリ等のようなプログラム命令を保存して行うように特別に構成されたハードウェア装置が含まれる。プログラム命令の例には、コンパイラによって作られるもののような機械語コードだけでなく、インタープリター等を使用してコンピュータによって実行できる高級言語コードを含む。
【００８５】
これまで本発明による具体的な実施例に関して説明したが、本発明の範囲から外れない限度内で様々な変形が可能なことは勿論である。そのため、本発明の範囲は説明した実施例に局限されて定められてはならなく、後述の特許請求の範囲だけでなく、本特許請求の範囲と均等なものによって定められなければならない。
【符号の説明】
【００８６】
４１０：スケーリング部
４２０：ポジション決定部
４３０：プリセット適用部
４４０：制御部
【図１】
2012232012.tif 000003
【図２】
2012232012.tif 000004
【図３】
2012232012.tif 000005
【図４】
2012232012.tif 000006